(57)【要約】      （修正有）【課題】無線通信システムで物理ダウンリンク制御チャネル（ＰＤＣＣＨ）を割り当てる方法を提供する。【解決手段】無線通信システムのユーザ機器（ＵＥ）が複数のキャリアを介して送受信することを可能にするキャリアアグリゲーション（ＣＡ）をサポートする無線システムにおいて、無線リソース制御（ＲＲＣ）メッセージを介して複数のキャリアをＵＥに設定する段階と、第１キャリアに対応するＰＤＣＣＨを搬送する第２キャリアを示すために、設定されたキャリアそれぞれの情報をＲＲＣメッセージに含む段階とを備え、第２キャリアのＰＤＣＣＨは第１キャリアのダウンリンクアサイメントまたはアップリンクグラントの送信に用いられる。【選択図】図１
2011035909.tif 000002
【特許請求の範囲】
【請求項１】
無線通信システムのユーザ機器（ＵＥ）が複数のキャリアを介して送受信することを可能にするキャリアアグリゲーション
（ＣＡ）をサポートする前記無線通信システムにおいて、前記無線通信システムのネットワーク端末の物理ダウンリンク制御チャネル（ＰＤＣＣＨ）を割り当てる方法であって、
無線リソース制御（ＲＲＣ）メッセージを介して複数のキャリアをＵＥに設定する段階と、
第１キャリアに対応するＰＤＣＣＨを搬送する第２キャリアを示すために、設定されたキャリアそれぞれの情報を前記ＲＲＣメッセージに含む段階と
を備え、
前記第２キャリアの前記ＰＤＣＣＨは、前記第１キャリアのダウンリンクアサイメントまたはアップリンクグラントを送信するために用いられる方法。
【請求項２】
前記第２キャリアは、前記第１キャリアと同一であるである請求項１に記載の方法。
【請求項３】
前記第１キャリアは、物理ダウンリンク共有チャネル（ＰＤＳＣＨ）または物理アップリンク共有チャネル（ＰＵＳＣＨ）を搬送する請求項１または２に記載の方法。
【請求項４】
前記ＲＲＣメッセージは、ＲＲＣ接続再設定メッセージである請求項１から３の何れか１項に記載の方法。
【請求項５】
前記ＰＤＣＣＨは、前記ＰＤＣＣＨによって搬送される前記ダウンリンクアサイメントまたは前記アップリンクグラントに対応するキャリアを示すキャリアインジケーション（ＣＩ）フィールドを有する請求項１から４の何れか１項に記載の方法。
【請求項６】
前記ＣＩフィールドのビット長は３ビットである請求項５に記載の方法。
【請求項７】
無線通信システムのユーザ機器（ＵＥ）が複数のキャリアを介して送受信することを可能にするキャリアアグリゲーション（ＣＡ）をサポートする前記無線通信システムにおいて、前記無線通信システムのネットワーク端末の物理ダウンリンク制御チャネル（ＰＤＣＣＨ）を割り当てる通信デバイスであって、
プログラムを実行するプロセッサと、
前記プロセッサに結合されて前記プログラムを格納するメモリと
を備え、
前記プログラムは、
無線リソース制御（ＲＲＣ）メッセージを介して複数のキャリアをＵＥに設定する段階と、
第１キャリアに対応するＰＤＣＣＨを搬送する第２キャリアを示すために、設定されたキャリアそれぞれの情報を前記ＲＲＣメッセージに含む段階と
を備え、
前記第２キャリアの前記ＰＤＣＣＨは、前記第１キャリアのダウンリンクアサイメントまたはアップリンクグラントを送信するために使用される通信デバイス。
【請求項８】
前記第２キャリアは、前記第１キャリアと同一である請求項７に記載の通信デバイス。
【請求項９】
前記第１キャリアは、物理ダウンリンク共有チャネル（ＰＤＳＣＨ）または物理アップリンク共有チャネル（ＰＵＳＣＨ）を搬送する請求項７または８に記載の通信デバイス。
【請求項１０】
前記ＲＲＣメッセージは、ＲＲＣ接続再設定メッセージである請求項７から９の何れか１項に記載の通信デバイス。
【請求項１１】
前記ＰＤＣＣＨは、前記ＰＤＣＣＨによって搬送される前記ダウンリンクアサイメントまたは前記アップリンクグラントに対応するキャリアを示すキャリアインジケーション（ＣＩ）フィールドを有する請求項７から１０の何れか１項に記載の通信デバイス。
【請求項１２】
前記ＣＩフィールドのビット長は３ビットである請求項１１に記載の通信デバイス。
【請求項１３】
無線通信システムのユーザ機器（ＵＥ）が複数のキャリアを介して送受信することを可能にするキャリアアグリゲーション（ＣＡ）をサポートする前記無線通信システムにおいて、前記無線通信システムの前記ＵＥの物理ダウンリンク制御チャネル（ＰＤＣＣＨ）を割り当てる方法であって、
複数のキャリアを設定するために無線リソース制御（ＲＲＣ）メッセージを受信する段階と、
第１キャリアのダウンリンクアサイメントまたはアップリンクグラントを取得するために情報に基づいて第２キャリアでＰＤＣＣＨを監視する段階と
を備え、
前記ＲＲＣメッセージは設定されたキャリアそれぞれの前記情報を有し、前記情報は前記第１キャリアに対応する前記ＰＤＣＣＨを搬送する前記第２キャリアを示すために用いられる方法。
【請求項１４】
前記第２キャリアは、前記第１キャリアと同一である請求項１３に記載の方法。
【請求項１５】
前記第１キャリアは、物理ダウンリンク共有チャネル（ＰＤＳＣＨ）または物理アップリンク共有チャネル（ＰＵＳＣＨ）を搬送する請求項１３または１４に記載の方法。
【請求項１６】
前記ＲＲＣメッセージは、ＲＲＣ接続再設定メッセージである請求項１３から１５の何れか１項に記載の方法。
【請求項１７】
前記ＰＤＣＣＨは、前記ＰＤＣＣＨによって搬送される前記ダウンリンクアサイメントまたは前記アップリンクグラントに対応するキャリアを示すキャリアインジケーション（ＣＩ）フィールドを有する請求項１３から１６の何れか１項に記載の方法。
【請求項１８】
前記ＣＩフィールドのビット長は３ビットである請求項１７に記載の方法。
【請求項１９】
無線通信システムのユーザ機器（ＵＥ）が複数のキャリアを介して送受信することを可能にするキャリアアグリゲーション（ＣＡ）をサポートする前記無線通信システムにおいて、前記無線通信システムの前記ＵＥの物理ダウンリンク制御チャネル（ＰＤＣＣＨ）を割り当てる通信デバイスであって、
プログラムを実行するプロセッサと、
前記プロセッサに結合されて前記プログラムを格納するメモリと
を備え、
前記プログラムは、
複数のキャリアを設定するために無線リソース制御（ＲＲＣ）メッセージを受信する段階と、
第１キャリアのダウンリンクアサイメントまたはアップリンクグラントを取得するために情報に基づいて第２キャリアでＰＤＣＣＨを監視する段階と
を備え、
前記ＲＲＣメッセージは設定されたキャリアそれぞれの前記情報を有し、前記情報は前記第１キャリアに対応する前記ＰＤＣＣＨを搬送する前記第２キャリアを示すために用いられる通信デバイス。
【請求項２０】
前記第２キャリアは、前記第１キャリアと同一である請求項１９に記載の通信デバイス。
【請求項２１】
前記第１キャリアは、物理ダウンリンク共有チャネル（ＰＤＳＣＨ）または物理アップリンク共有チャネル（ＰＵＳＣＨ）を搬送する請求項１９または２０に記載の通信デバイス。
【請求項２２】
前記ＲＲＣメッセージは、ＲＲＣ接続再設定メッセージである請求項１９から２１の何れか１項に記載の通信デバイス。
【請求項２３】
前記ＰＤＣＣＨは、前記ＰＤＣＣＨによって搬送される前記ダウンリンクアサイメントまたは前記アップリンクグラントに対応するキャリアを示すキャリアインジケーション（ＣＩ）フィールドを有する請求項１９から２２の何れか１項に記載の通信デバイス。
【請求項２４】
前記ＣＩフィールドのビット長は３ビットである請求項２３に記載の通信デバイス。
【発明の詳細な説明】
【技術分野】
【０００１】
本願は、２００９年８月２日出願の「Ｍｅｔｈｏｄ  ａｎｄ  Ａｐｐａｒａｔｕｓ  ｆｏｒ  Ｉｍｐｒｏｖｉｎｇ  Ｈａｎｄｏｖｅｒ  ｉｎ  ＣｏＭＰ  ｉｎ  ａ  Ｗｉｒｅｌｅｓｓ  Ｃｏｍｍｕｎｉｃａｔｉｏｎ  Ｓｙｓｔｅｍ（無線通信システムのＣｏＭＰ内のハンドオーバを向上する方法および装置）」なる名称の米国仮出願第６１／２３０７４１号明細書の恩恵を請求し、その内容をここに参照として組み込む。
【背景技術】
【０００２】
本発明は、無線通信システムの物理ダウンリンク制御チャネル（Ｐｈｙｓｉｃａｌ  Ｄｏｗｎｌｉｎｋ  Ｃｏｎｔｒｏｌ  Ｃｈａｎｎｅｌ（ＰＤＣＣＨ））を割り当てる方法および装置係り、より詳しくは、電力消費および演算の複雑さを低減できる方法および装置に係る。
【０００３】
ロングタームエボリューション無線通信システム（ＬＴＥシステム）である、３Ｇ移動体通信システム上に確立された高度な高速無線通信システムは、パケット交換伝送のみをサポートし、媒体アクセス制御（Ｍｅｄｉｕｍ  Ａｃｃｅｓｓ  Ｃｏｎｔｒｏｌ（ＭＡＣ））層および無線リンク制御（Ｒａｄｉｏ  Ｌｉｎｋ  Ｃｏｎｔｒｏｌ（ＲＬＣ））層の両方をそれぞれノードＢおよび無線ネットワークコントローラ（Ｒａｄｉｏ  Ｎｅｔｗｏｒｋ  Ｃｏｎｔｒｏｌｌｅｒ（ＲＮＣ））ではなく、例えば基地局（ノードＢ）などの単一の通信サイトで実装するため、システム構造が単純になりやすい。
【０００４】
しかしながら、今後あらゆる種類の通信サービスの要件を満たすべく、３ＧＰＰ（３ｒｄ  Ｇｅｎｅｒａｔｉｏｎ  Ｐａｒｔｎｅｒｓｈｉｐ  Ｐｒｏｊｅｃｔ（第３世代移動体通信システム））は、次世代ＬＴＥシステムであるＬＴＥ  Ａｄｖａｎｃｅｄ（ＬＴＥ−Ａ）システムへの取り組みを開始した。ＬＴＥ−Ａシステムには、スペクトルアグリゲーションおよび例えば最大１００ＭＨｚのより広域な伝送帯域幅をサポートするべく、２つ以上のコンポーネントキャリアの周波数帯域が統合されるキャリアアグリゲーション（Ｃａｒｒｉｅｒ  Ａｇｇｒｅｇａｔｉｏｎ（ＣＡ））が導入されている。ＬＴＥ−Ａシステムでは、ユーザ機器（Ｕｓｅｒ  Ｅｑｕｉｐｍｅｎｔ（ＵＥ））が複数のコンポーネントキャリアを用いてネットワーク端末との複数のリンクを確立して各コンポーネントキャリアで同時に送受信することで、伝送帯域幅およびスペクトルアグリゲーションが向上する。
【０００５】
ネットワーク端末は、無線リソース制御（Ｒａｄｉｏ  Ｒｅｓｏｕｒｃｅ  Ｃｏｎｔｒｏｌ（ＲＲＣ））メッセージを介して複数のキャリアをＵＥに設定する。ＣＡの設定後、ＵＥは複数の設定されたダウンリンクコンポーネントキャリアで物理ダウンリンク共有チャネル（Ｐｈｙｓｉｃａｌ  Ｄｏｗｎｌｉｎｋ  Ｓｈａｒｅｄ  Ｃｈａｎｎｅｌ（ＰＤＳＣＨ））を受信する。また従来技術では、データの送受信を実行するため、関連したスケジューリング情報すなわちダウンリンクアサイメントまたはアップリンクグラントを取得するために他のダウンリンクコンポーネントキャリアの物理ダウンリンク制御チャネル（ＰＤＣＣＨ）を監視することが提案されている。つまり、ＰＤＳＣＨおよびＰＤＣＣＨは異なるコンポーネントキャリアで搬送されてよい。したがって、設定されたダウンリンクコンポーネントキャリアでは、コンポーネントキャリアの一部はＰＤＳＣＨのみを搬送しＰＤＣＣＨを搬送しなくてよい。一方でコンポーネントキャリアの他の部分はＰＤＳＣＨおよびＰＤＣＣＨを同時に搬送してよい。このような場合、ＵＥはコンポーネントキャリアの一部のＰＤＣＣＨを監視するだけで、全ての設定されたコンポーネントキャリアのスケジューリングを取得できる。この結果、演算能力の要件または電力消費が低減可能となる。これは、演算能力の要件が、主に異なるキャリアが異なる符号化方法を用いた結果であることに起因する。したがって、監視するコンポーネントキャリアが多いほど、必要なブラインド復号化演算がより複雑になる。このことから、監視するコンポーネントキャリアの数を低減することで演算能力の要件を低減することができる。
【０００６】
上述のように、異なるコンポーネントキャリアでＰＤＳＣＨおよびＰＤＣＣＨを搬送し、コンポーネントキャリアの一部のみでＰＤＣＣＨを送信することで、監視されるコンポーネントキャリアの数が低減し、電力消費または演算能力の要件を低減できる。しかしながら一部の状況において、該方法にはさらなる改善の可能性がある。例えば、送信が失敗して再送信が行なわれる場合、再送信されるパケットは元のキャリアでのみ送信される。したがって理論上は、ネットワーク端末は再送信に必要なスケジューリング情報を１つのＰＤＣＣＨ上で送信するだけでよい。しかしながら従来技術では、ＵＥにはスケジュール情報がどのＰＤＣＣＨ上で送信されるかが分からないため、ＵＥが全てのＰＤＣＣＨを監視する必要があり、不要な電力消費の原因となっている。
【０００７】
したがって、該分野ではＣＡの演算能力の要件または電力消費をさらに低減する方法が課題となっている。
【発明の概要】
【０００８】
本発明の目的の１つは、無線通信システムで物理ダウンリンク制御チャネル（ＰＤＣＣＨ）を割り当てる方法および装置を提供することである。
【０００９】
本発明は、無線通信システムのネットワーク端末で物理ダウンリンク制御チャネル（ＰＤＣＣＨ）を割り当てる方法を開示する。無線通信システムは、無線通信システムのユーザ機器（ＵＥ）が複数のキャリアで送受信を実行することを可能にするキャリアアグリゲーション（ＣＡ）をサポートする。方法は、無線リソース制御（ＲＲＣ）メッセージを介して複数のキャリアをＵＥに設定する段階と、第１キャリアに対応するＰＤＣＣＨを搬送する第２キャリアを示すために、設定されたキャリアそれぞれの情報をＲＲＣメッセージに含む段階とを備え、第２キャリアのＰＤＣＣＨは、第１キャリアのダウンリンクアサイメントまたはアップリンクグラントを送信するために用いられる。
【００１０】
本発明はさらに、無線通信システムのネットワーク端末で物理ダウンリンク制御チャネル（ＰＤＣＣＨ）を割り当てる通信デバイスを開示する。無線通信システムは、無線通信システムのユーザ機器（ＵＥ）が複数のキャリアで送受信を実行することを可能にするキャリアアグリゲーション（ＣＡ）をサポートする。通信デバイスは、プログラムを実行するプロセッサと、プロセッサに結合されてプログラムを格納するメモリとを備え、プログラムは、無線リソース制御（ＲＲＣ）メッセージを介して複数のキャリアをＵＥに設定する段階と、第１キャリアに対応するＰＤＣＣＨを搬送する第２キャリアを示すために、設定されたキャリアそれぞれの情報をＲＲＣメッセージに含む段階とを備え、第２キャリアのＰＤＣＣＨは、第１キャリアのダウンリンクアサイメントまたはアップリンクグラントを送信するために用いられる。
【００１１】
本発明はさらに、無線通信システムのユーザ機器（ＵＥ）で物理ダウンリンク制御チャネル（ＰＤＣＣＨ）を割り当てる方法を開示する。無線通信システムは、無線通信システムのユーザ機器（ＵＥ）が複数のキャリアで送受信を実行することを可能にするキャリアアグリゲーション（ＣＡ）をサポートする。方法は、複数のキャリアを設定するために無線リソース制御（ＲＲＣ）メッセージを受信する段階と、第１キャリアのダウンリンクアサイメントまたはアップリンクグラントを取得するために情報に基づいて第２キャリアでＰＤＣＣＨを監視する段階とを備え、ＲＲＣメッセージは設定されたキャリアそれぞれの情報を有し、情報は第１キャリアに対応するＰＤＣＣＨを搬送する第２キャリアを示すために用いられる。
【００１２】
本発明はさらに、無線通信システムのユーザ機器（ＵＥ）で物理ダウンリンク制御チャネル（ＰＤＣＣＨ）を割り当てる通信デバイスを開示する。無線通信システムは、無線通信システムのユーザ機器（ＵＥ）が複数のキャリアで送受信を実行することを可能にするキャリアアグリゲーション（ＣＡ）をサポートする。通信デバイスは、プログラムを実行するプロセッサと、プロセッサに結合されてプログラムを格納するメモリとを備え、プログラムは、複数のキャリアを設定するために無線リソース制御（ＲＲＣ）メッセージを受信する段階と、第１キャリアのダウンリンクアサイメントまたはアップリンクグラントを取得するために情報に基づいて第２キャリアでＰＤＣＣＨを監視する段階とを備え、ＲＲＣメッセージは設定されたキャリアそれぞれの情報を有し、情報は第１キャリアに対応するＰＤＣＣＨを搬送する第２キャリアを示すために用いられる。
【００１３】
本発明のこれらの目的およびその他の目的は、当業者が様々な図面に示された好適な実施形態の以下の詳細な説明を読むことによりよく理解されるであろう。
【図面の簡単な説明】
【００１４】
【図１】無線通信システムの概略図である。
【図２】無線通信デバイスの機能ブロック図である。
【図３】図２のプログラムの図である。
【図４】本発明の一実施形態によるプロセスのフローチャート図である。
【図５】本発明の別の実施形態によるプロセスのフローチャート図である。
【発明を実施するための形態】
【００１５】
図１は、無線通信システム１０の概略図である。無線通信システム１０は、ＬＴＥ−Ａシステムであることが好ましく、簡潔には１つのネットワークと複数のユーザ機器（ＵＥ）とを含む。図１では単に無線システム１０の構造を例示する目的でネットワークおよび複数のＵＥが示されている。実際のネットワークは必要応じて複数の基地局（ノードＢ）、無線ネットワークコントローラ等を含み、ＵＥはモバイルフォン、コンピュータシステム等のデバイスであってよい。
【００１６】
図２は、無線通信システムの通信デバイス１００の機能ブロック図である。通信デバイス１００は、図１のＵＥまたはネットワークを実現するために用いることができる。説明を簡潔にする目的から、図２は、通信デバイス１００の入力デバイス１０２、出力デバイス１０４、制御回路１０６、中央処理装置（ＣＰＵ）１０８、メモリ１１０、プログラム１１２、およびトランシーバ１１４のみを示している。通信デバイス１００の制御回路１０６は、メモリ１１０のプログラム１１２をＣＰＵ１０８によって実行し、通信デバイス１００の動作を制御する。通信デバイス１００は、キーボード等の入力デバイス１０２を介してユーザが入力した信号を受信することができ、モニタまたはスピーカ等の出力デバイス１０４を介して画像および音声を出力することができる。トランシーバ１１４は、無線信号を送受信し、制御回路１０６に受信信号を伝送し、制御回路１０６が生成した信号を無線で出力することに用いられる。通信プロトコルフレームワークの観点からは、トランシーバ１１４は層１の一部としてみることができ、制御回路１０６は層２および層３の機能を実現するために用いられることが可能である。
【００１７】
次に図３を参照して説明を行なう。図３は、図２に示すプログラム１１２を示す。プログラム１１２は、アプリケーション層２００、層３  ２０２、層２  ２０６を含み、層１  ２１８に結合されている。層３  ２０２は無線リソース制御を実行する。層２  ２０６は無線リンク制御（ＲＬＣ）層および媒体アクセス制御（ＭＡＣ）層を含み、リンク制御を実行する。層１  ２１８は物理的な接続を実行する。
【００１８】
ＬＴＥ−Ａシステムでは、層１  ２１８および層２  ２０６が、キャリアアグリゲーション（ＣＡ）技術をサポートしてよい。ＣＡは、ＵＥが上位層によって設定された複数のキャリアを介して送受信を実行することを可能にする。このような場合、本発明の実施形態は、ＵＥがＰＤＣＣＨを監視するのに必要な電力消費および演算を低減するためのＰＤＣＣＨ割り当てプログラム２２０を提供する。
【００１９】
図４は、本発明の一実施形態によるプロセス４０の概略図である。プロセス４０は、無線通信システム１０のネットワーク端末でのＰＤＣＣＨの割り当てに用いられ、ＰＤＣＣＨ割り当てプログラム２２０にコンパイルされ得る。プロセス４０は以下のステップを含む。
ステップ４００：開始。
ステップ４０２：無線リソース制御（ＲＲＣ）メッセージを介して複数のキャリアをＵＥに設定。
ステップ４０４：第１キャリアに対応するＰＤＣＣＨを搬送する第２キャリアを示すべく、ＲＲＣメッセージ内に設定されたキャリアのそれぞれの情報を含む。第２キャリアのＰＤＣＣＨは、第１キャリアのアップリンクグラントまたはダウンリンクアサイメントの送信に用いられる。
ステップ４０６：終了。
【００２０】
プロセス４０によると、ネットワーク端末がＲＲＣメッセージを介して複数のキャリアをＵＥに設定する。ＲＲＣメッセージは設定されたキャリアのそれぞれの情報を含む。情報は、第１キャリアに対応するＰＤＣＣＨを搬送する第２キャリアを示し、ＰＤＣＣＨは第１キャリアの情報のダウンリンクアサイメントまたはアップリンクグラントの送信に用いられる。このような場合、ＵＥは、別のキャリアに対応するＰＤＣＣＨをどのキャリアが搬送しているかをＲＲＣメッセージに含まれた情報に基づいて知り、正確にＰＤＣＣＨを監視することができ、該キャリアのダウンリンクアサイメントまたはアップリンクグラントを取得することができる。要するに、本発明の実施形態では、各キャリアのダウンリンクアサイメントまたはアップリンクグラントは特定のＰＤＣＣＨ上で送信され、キャリアとＰＤＣＣＨとの相関関係は、ネットワーク端末によって送信されたＲＲＣメッセージの情報から知ることができる。このような場合、ＵＥは動作状況に基づいて正しいＰＤＣＣＨのみを監視すればよく、キャリアの監視に必要な電力消費および演算が低減される。例えば、本発明の実施形態によると、送信が失敗して再送信が行なわれる場合、再送信されるパケットは初めのキャリアでのみ送信されることから、ＵＥはどのＰＤＣＣＨがキャリアに対応するかを知り、全てのＰＤＣＣＨではなく、特定のＰＤＣＣＨのみを監視することができ、電力消費および演算の複雑性を低減できる。
【００２１】
ダウンリンクの動作を例として、より具体的に説明する。ネットワーク端末がＲＲＣメッセージを介して５つのキャリアＣＣ１〜ＣＣ５をＵＥに設定する場合、ＣＣ１〜ＣＣ３はＰＤＳＣＨおよびＰＤＣＣＨを同時に搬送し、ＣＣ４およびＣＣ５はＰＤＳＣＨのみを搬送すると仮定する。キャリアＣＣ４のダウンリンクアサイメントは、キャリアＣＣ２のＰＤＣＣＨ上で送信され、キャリアＣＣ５のダウンリンクアサイメントは、キャリアＣＣ３のＰＤＣＣＨ上で送信される。したがって、キャリアＣＣ１〜ＣＣ３はプロセス４０の第２キャリアに関連し、キャリアＣＣ４およびＣＣ５は第１キャリアに関連する。さらに、本発明の実施形態によると、ネットワーク端末によって送信されたＲＲＣメッセージは、ＵＥにキャリアとＰＤＣＣＨとの相関関係を示す情報を含む。したがって、キャリアＣＣ４に送信の失敗が発生して再送信が実行された場合、ＵＥはキャリアＣＣ１およびＣＣ３のＰＤＣＣＨを監視する必要はなく、キャリアＣＣ２のＰＤＣＣＨのみを監視すればよい。
【００２２】
上述したダウンリンクの動作の例がアップリンク動作の例へと単純に変更され得ることは留意に値する。単純に言うと、ダウンリンク動作では、第１キャリアが物理ダウンリンク共有チャネル（ＰＤＳＣＨ）を搬送し、第２キャリアのＰＤＣＣＨが第１キャリアのダウンリンクアサイメントを送信する。アップリンク動作では、第１キャリアが物理アップリンク共有チャネル（ＰＵＳＣＨ）を搬送し、第２キャリアのＰＤＣＣＨが第１キャリアのアップリンクグラントを送信する。
【００２３】
一方で、プロセス４０のＲＲＣメッセージはＲＲＣ接続再設定メッセージであることが望ましい。また、第１キャリアおよび第２キャリアとはＰＤＣＣＨに対する関係を示す目的でのみ用いられており、これらは同一のキャリアであっても異なるキャリアでもあってよい。つまり、第１キャリアはＰＤＳＣＨまたはＰＵＳＣＨを搬送するキャリアを示し、第２キャリアは第１キャリアに対応したＰＤＣＣＨを搬送するキャリアを示す。第１キャリアおよび第２キャリアが同じ場合、キャリアによって搬送されたＰＤＣＣＨが当該キャリアのダウンリンクアサイメントまたはアップリンクグラントの送信に用いられる。さらにＰＤＣＣＨは、ＰＤＣＣＨによって搬送されたダウンリンクアサイメントまたはアップリンクグラントがどのキャリアに対応するかを示すキャリアインジケーション（Ｃａｒｒｉｅｒ  Ｉｎｄｉｃａｔｉｏｎ（ＣＩ））フィールドを含んでよい。ＣＩフィールドのビット長は、３ビットであってよいが、ＵＥに設定されたキャリアの数に応じて異なる長さであってもよい。
【００２４】
ＵＥに関する上述の動作はさらに、図５に示すプロセス５０にまとめることができる。プロセス５０は、無線通信システム１０のＵＥでのＰＤＣＣＨの割り当てに用いられ、ＰＤＣＣＨ割り当てプログラム２２０にコンパイルされ得る。プロセス５０は以下のステップを含む。
ステップ５００：開始。
ステップ５０２：複数のキャリアを設定するための無線リソース制御（ＲＲＣ）メッセージを受信する。ＲＲＣメッセージは設定されたキャリアのそれぞれの情報を含み、情報は第１キャリアに対応するＰＤＣＣＨを搬送する第２キャリアを示すために用いられる。
ステップ５０４：情報に基づいて第２キャリアのＰＤＣＣＨを監視し、第１キャリアのダウンリンクアサイメントまたはアップリンクグラントを取得する。
ステップ５０６：終了。
【００２５】
ＵＥの動作を実装するべくプロセス４０から派生したプロセス５０についての詳細な説明および変更例に関しては、上述の説明が参照され得ることから、以下では詳述しない。
【００２６】
プロセス４０およびプロセス５０のステップの上述のような実現が当業者に良く知られていることは留意に値する。例えば、プロセス４０およびプロセス５０のステップは、具体的なプログラミング言語の命令、パラメータ、変数等によって、ユニットとしてＰＤＣＣＨ割り当てプログラム２２０にコンパイルされ得る。
【００２７】
上記をまとめると、本発明におけるＵＥは全てのＰＤＣＣＨを監視する必要がなく、電力消費および演算の複雑性を低減することができる。
【００２８】
当業者であれば、本発明の教示に基づいたデバイスおよび方法の変形例および変更例が数多く存在することに想到する。従って、上述の開示は、添付請求項の範囲によってのみ限定されることが意図されている。
【図１】
2011035909.tif 000003
【図２】
2011035909.tif 000004
【図３】
2011035909.tif 000005
【図４】
2011035909.tif 000006
【図５】
2011035909.tif 000007
【外国語明細書】
2011035909.tif 000008
2011035909.tif 000009
2011035909.tif 000010
2011035909.tif 000011
2011035909.tif 000012
2011035909.tif 000013
2011035909.tif 000014
2011035909.tif 000015
2011035909.tif 000016
2011035909.tif 000017
2011035909.tif 000018
2011035909.tif 000019
2011035909.tif 000020
2011035909.tif 000021
2011035909.tif 000022
2011035909.tif 000023
2011035909.tif 000024
2011035909.tif 000025
2011035909.tif 000026
2011035909.tif 000027